(57)【特許請求の範囲】
【請求項１】
複数の基板設計間の接続状態を示したシステム回路図を生成するシステム回路図設計装置であって、
複数の基板外形を設定する基板外形設定手段と、
前記基板外形設定手段により基板外形を設定した複数の基板のそれぞれに対応する基板回路図設計から物理コネクタを抽出する物理コネクタ抽出手段と、
前記物理コネクタ抽出手段により抽出された物理コネクタを、前記基板外形設定手段により設定された基板外形の領域内に配置する物理コネクタ配置手段と、
前記物理コネクタ配置手段により基板外形の領域内に配置された物理コネクタ間を信号線により接続し、前記基板外形設定手段により基板外形を設定した基板間の接続状態を示すシステム回路図を生成する物理コネクタ間接続手段と
を有することを特徴とするシステム回路図設計装置。
【請求項２】
請求項１に記載のシステム回路図設計装置において、
前記物理コネクタ間接続手段は、前記物理コネクタ配置手段により基板外形の領域内に配置された物理コネクタ間の接続関係をチェックする
ことを特徴とするシステム回路図設計装置。
【請求項３】
請求項１または請求項２のいずれか１項に記載のシステム回路図設計装置において、さらに、
前記物理コネクタ間接続手段により生成されたシステム回路図にかかる部品情報を出力する部品表出力手段と、
前記物理コネクタ間接続手段により生成されたシステム回路図にかかる接続情報を出力する接続情報出力手段と
の少なくともいずれか一方を有する
ことを特徴とするシステム回路図設計装置。
【請求項４】
複数の基板設計間の接続状態を示したシステム回路図をシステム回路図設計装置により生成するシステム回路図設計方法であって、
複数の基板外形を設定する基板外形設定工程と、
前記基板外形設定工程により基板外形を設定した複数の基板のそれぞれに対応する基板回路図設計から物理コネクタを抽出する物理コネクタ抽出工程と、
前記物理コネクタ抽出工程により抽出された物理コネクタを、前記基板外形設定工程により設定された基板外形の領域内に配置する物理コネクタ配置工程と、
前記物理コネクタ配置工程により基板外形の領域内に配置された物理コネクタ間を信号線により接続し、前記基板外形設定工程により基板外形を設定した基板間の接続状態を示すシステム回路図を生成する物理コネクタ間接続工程と
を前記システム回路図設計装置が実行する
ことを特徴とするシステム回路図設計方法。
【請求項５】
請求項４に記載のシステム回路図設計方法において、
前記物理コネクタ間接続工程は、前記物理コネクタ配置工程により基板外形の領域内に配置された物理コネクタ間の接続関係をチェックする
ことを特徴とするシステム回路図設計方法。
【請求項６】
請求項４または請求項５のいずれか１項に記載のシステム回路図設計方法において、さらに、
前記物理コネクタ間接続工程により生成されたシステム回路図にかかる部品情報を出力する部品表出力工程と、
前記物理コネクタ間接続工程により生成されたシステム回路図にかかる接続情報を出力する接続情報出力工程と
の少なくともいずれか一方を前記システム回路設計装置が実行する
ことを特徴とするシステム回路図設計方法。
【請求項７】
請求項１、２または３のいずれか１項に記載のシステム回路図設計装置としてコンピュータを機能させるためのプログラム。
【請求項８】
請求項４、５または６のいずれか１項に記載のシステム回路図設計方法をコンピュータに実行させるためのプログラム。
【請求項９】
請求項７または８のいずれか１項に記載のプログラムを記録したコンピュータ読み取り可能な記録媒体。
【発明の詳細な説明】
【技術分野】
【０００１】
本発明は、システム回路図設計装置、システム回路図設計方法、プログラムおよびコンピュータ読み取り可能な記録媒体に関し、さらに詳細には、複数のプリント基板（本明細書においては冗長な記載を避けるため、「プリント基板」を単位「基板」と適宜に称する。）間を接続する物理コネクタを、回路図設計において配置し、複数基板間の接続を回路図設計において予め設定およびチェックする技術に係るシステム回路図設計装置、システム回路図設計方法、プログラムおよびコンピュータ読み取り可能な記録媒体に関するものである。
【０００２】
なお、本明細書において、「システム回路図」とは、「複数の基板設計間の接続状態を示した回路図」を意味するものとする。
【０００３】
また、本明細書において、「物理コネクタ」とは、ある基板とある基板との間、即ち、基板間を接続するために各基板上に設けられているコネクタを意味するものとする。
【０００４】
さらに、本明細書においては、物理コネクタを画面上に表示するためにシンボル化したものを「物理コネクタ基板シンボル」と称することとする。
【背景技術】
【０００５】
近年、電子回路の高機能化や製品の小型化等が進むにつれて、１つの筐体内に複数の基板が収容されるケースが生じている。
【０００６】
その際に、複数の基板間を接続するための接続部材として、フレキシブル基板やハーネスケーブルなどが用いられており、これらフレキシブル基板やハーネスケーブルなどの接続部材を介して、ある基板とある基板との間、即ち、基板間の接続が図られている。
【０００７】
ここで、フレキシブル基板とは、薄いポリイミドやポリエステルなどのフイルム上に銅箔配線を形成したものであり、こうしたフレキシブル基板を用いて基板間を接続する場合には、薄いポリイミドやポリエステルなどのフイルム上の銅箔配線と基板上の銀箔配線とを接合することにより、フレキシブル基板を介して複数の基板間の接続が実現される。
【０００８】
また、ハーネスケーブルは、配線線の両端に付随するコネクタを備えており、こうしたハーネスケーブルを用いて基板間を接続する場合には、ハーネスケーブルの両端に付随するコネクタと基板上に形成されたコネクタとを接続することにより、ハーネスケーブルを介して複数の基板間の接続が実現される。
【０００９】
ところで、回路図設計や基板設計においては、一般的にＣＡＤ（Ｃｏｍｐｕｔｅｒ  Ａｉｄｅｄ  Ｄｅｓｉｇｎ）システムが利用されているが、回路図設計の情報はネットリストや部品表などとして出力され、これらの情報を元に基板設計がおこなわれている。
【００１０】
こうしたＣＡＤシステムを用いた従来の設計手法によれば、１つの基板設計に対する回路図設計（本明細書においては、「１つの基板設計に対する回路図設計」を「基板回路図設計」と適宜に称することとする。）は行われているが、複数の基板設計間の接続を考慮してシステム回路図を作成するための回路図設計（本明細書においては、「複数の基板設計間の接続を考慮してシステム回路図を作成するための回路図設計」を「システム回路図設計」と適宜に称することとする。）までは行われていないという問題点があった。
【００１１】
また、こうした問題点のため、以下に説明するような問題点をも招来するということが指摘されていた。
【００１２】
即ち、基板回路図設計から基板設計へ渡される接続情報により、基板設計では当該基板設計内での接続情報のチェックはおこなわれるが、複数の基板設計間における接続情報のチェックまではおこなわれないため、複数の基板設計間における接続情報のミスを見過ごすリスクが生じていたという問題点があり、基板設計でミスを修正した場合には、基板回路図設計においても当該ミスを修正する必要があった。
【００１３】
また、基板回路図設計における部品表の出力においては、１つの基板設計に使用される部品の種類や数を把握することは可能であるが、複数の基板設計間で使用される全ての部品の種類や数を一度に把握することができないので、複数の基板設計間で使用される全ての部品の種類や数を知るためには、別途に集計をおこなう必要があるという問題点があった。
【００１４】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【００１５】
本発明は、上記したような従来の技術の有する種々の問題点に鑑みてなされたものであり、その目的とするところは、複数の基板設計間の接続を考慮した回路図設計を行うことを可能にしたシステム回路図設計装置、システム回路図設計方法、プログラムおよびコンピュータ読み取り可能な記録媒体を提供しようとするものである。
【００１６】
また、本発明の目的とするところは、複数の基板設計間における接続情報のチェックを行うことを可能にしたシステム回路図設計装置、システム回路図設計方法、プログラムおよびコンピュータ読み取り可能な記録媒体を提供しようとするものである。
【００１７】
さらに、本発明の目的とするところは、複数の基板設計間で使用される全ての部品の種類や数を容易に把握することを可能にしたシステム回路図設計装置、システム回路図設計方法、プログラムおよびコンピュータ読み取り可能な記録媒体を提供しようとするものである。
【課題を解決するための手段】
【００１８】
上記目的を達成するために、本発明は、複数の基板の接続関係を回路図設計において予め設定するとともにチェックするようにしたものである。
【００１９】
従って、本発明によれば、複数の基板設計間の接続を考慮して回路図設計を行うことができるようになる。
【００２０】
また、本発明によれば、複数の基板設計間における接続情報のチェックを行うことができるようになる。
【００２１】
さらに、本発明によれば、複数の基板設計間で使用される全ての部品の種類や数を容易に把握することができるようになる。
【００２２】
即ち、本発明のうち請求項１に記載のシステム回路図設計装置は、複数の基板設計間の接続状態を示したシステム回路図を生成するシステム回路図設計装置であって、複数の基板外形を設定する基板外形設定手段と、上記基板外形設定手段により基板外形を設定した複数の基板のそれぞれに対応する基板回路図設計から物理コネクタを抽出する物理コネクタ抽出手段と、上記物理コネクタ抽出手段により抽出された物理コネクタを、上記基板外形設定手段により設定された基板外形の領域内に配置する物理コネクタ配置手段と、上記物理コネクタ配置手段により基板外形の領域内に配置された物理コネクタ間を信号線により接続し、上記基板外形設定手段により基板外形を設定した基板間の接続状態を示すシステム回路図を生成する物理コネクタ間接続手段とを有するようにしたものである。
【００２３】
また、本発明のうち請求項２に記載のシステム回路図設計装置は、本発明のうち請求項１に記載のシステム回路図設計装置において、上記物理コネクタ間接続手段は、上記物理コネクタ配置手段により基板外形の領域内に配置された物理コネクタ間の接続関係をチェックするようにしたものである。
【００２４】
また、本発明のうち請求項３に記載のシステム回路図設計装置は、本発明のうち請求項１または請求項２のいずれか１項に記載のシステム回路図設計装置において、さらに、上記物理コネクタ間接続手段により生成されたシステム回路図にかかる部品情報を出力する部品表出力手段と、上記物理コネクタ間接続手段により生成されたシステム回路図にかかる接続情報を出力する接続情報出力手段との少なくともいずれか一方を有するようにしたものである。
【００２５】
また、本発明のうち請求項４に記載のシステム回路図設計方法は、複数の基板設計間の接続状態を示したシステム回路図をシステム回路図設計装置により生成するシステム回路図設計方法であって、複数の基板外形を設定する基板外形設定工程と、上記基板外形設定工程により基板外形を設定した複数の基板のそれぞれに対応する基板回路図設計から物理コネクタを抽出する物理コネクタ抽出工程と、上記物理コネクタ抽出工程により抽出された物理コネクタを、上記基板外形設定工程により設定された基板外形の領域内に配置する物理コネクタ配置工程と、上記物理コネクタ配置工程により基板外形の領域内に配置された物理コネクタ間を信号線により接続し、上記基板外形設定工程により基板外形を設定した基板間の接続状態を示すシステム回路図を生成する物理コネクタ間接続工程とを上記システム回路図設計装置が実行するようにしたものである。
【００２６】
また、本発明のうち請求項５に記載のシステム回路図設計方法は、本発明のうち請求項４に記載のシステム回路図設計方法において、上記物理コネクタ間接続工程は、上記物理コネクタ配置工程により基板外形の領域内に配置された物理コネクタ間の接続関係をチェックするようにしたものである。
【００２７】
また、本発明のうち請求項６に記載のシステム回路図設計方法は、本発明のうち請求項４または請求項５のいずれか１項に記載のシステム回路図設計方法において、さらに、上記物理コネクタ間接続工程により生成されたシステム回路図にかかる部品情報を出力する部品表出力工程と、上記物理コネクタ間接続工程により生成されたシステム回路図にかかる接続情報を出力する接続情報出力工程との少なくともいずれか一方を上記システム回路設計装置が実行するようにしたものである。
【００２８】
また、本発明のうち請求項７に記載の発明は、本発明のうち請求項１、２または３のいずれか１項に記載のシステム回路図設計装置としてコンピュータを機能させるためのプログラムである。
【００２９】
また、本発明のうち請求項８に記載の発明は、本発明のうち請求項４、５または６のいずれか１項に記載のシステム回路図設計方法をコンピュータに実行させるためのプログラムである。
【００３０】
また、本発明のうち請求項９に記載の発明は、本発明のうち請求項７または８のいずれか１項に記載のプログラムを記録したコンピュータ読み取り可能な記録媒体である。
【発明の効果】
【００３１】
本発明は、以上説明したように構成されているので、複数の基板設計間の接続を考慮した回路図設計を行うことを可能にしたシステム回路図設計装置、システム回路図設計方法、プログラムおよびコンピュータ読み取り可能な記録媒体を提供することができるようになるという優れた効果を奏する。
【００３２】
また、本発明は、以上説明したように構成されているので、複数の基板設計間における接続情報のチェックを行うことを可能にしたシステム回路図設計装置、システム回路図設計方法、プログラムおよびコンピュータ読み取り可能な記録媒体を提供することができるようになるという優れた効果を奏する。
【００３３】
さらに、本発明は、以上説明したように構成されているので、複数の基板設計間で使用される全ての部品の種類や数を容易に把握することを可能にしたシステム回路図設計装置、システム回路図設計方法、プログラムおよびコンピュータ読み取り可能な記録媒体を提供することができるようになるという優れた効果を奏する。
【発明を実施するための最良の形態】
【００３４】
以下、添付の図面を参照しながら、本発明によるシステム回路図設計装置、システム回路図設計方法、プログラムおよびコンピュータ読み取り可能な記録媒体の実施の形態の一例を詳細に説明するものとする。
【００３５】
図１には、本発明によるシステム回路図設計装置の実施の形態の一例のハードウェア構成を表すブロック構成図が示されている。
【００３６】
即ち、この本発明によるシステム回路図設計装置（以下、単に「システム回路図設計装置」と適宜に称する。）１００は、公知のパーソナルコンピュータシステムや汎用コンピュータシステムなどで実現されており、その全体の動作を中央処理装置（ＣＰＵ）１０を用いて制御するように構成されている。
【００３７】
そして、このＣＰＵ１０には、バス１２を介して、後述するＣＰＵ１０の制御のためのプログラムや各種のデータなどを記憶するリードオンリメモリ（ＲＯＭ）やＣＰＵ１０のワーキングエリアとして用いられる記憶領域などを備えたランダムアクセスメモリ（ＲＡＭ）などから構成される記憶装置１４と、ＣＰＵ１０の制御に基づいて各種の表示を行うＣＲＴや液晶パネルなどの画面を備えた表示装置１６と、ＣＰＵ１０の制御により生成された各種データを出力するプリンターなどの出力装置１８と、表示装置１６の画面上における任意の位置を指定する入力装置たるマウスなどのポインティングデバイス２０と、任意の文字を入力するための入力装置たるキーボードなどの文字入力デバイス２２と、外部に接続される各種機器の入出力インターフェース回路（Ｉ／Ｏ）２４とが接続されている。
【００３８】
また、システム回路図設計装置１００においては、ハードディスクなどの外部記憶装置２６がＩ／Ｏ２４を介して接続されているとともに、コンパクトディスク（ＣＤ）やフレキシブルディスク（ＦＤ）などのようなコンピュータ読み取り可能な記録媒体（以下、単に「記録媒体」と適宜に称する。）３０へＣＰＵ１０の制御に基づき生成された各種データを書き込んで記憶させたり記録媒体３０に記憶された各種データを記憶装置１４へ読み込むためのリードライト装置２８がＩ／Ｏ２４を介して接続されている。
【００３９】
ここで、後述するシステム回路図設計装置１００による処理を実行するためのプログラムや当該処理に用いる各種データは、記憶装置１４のリードオンリメモリやランダムアクセスメモリへ予め記憶するようにしておいてもよいし、外部記憶装置２６や記録媒体３０から記憶装置１４のランダムアクセスメモリへ読み込むようにしてもよい。
【００４０】
また、システム回路図設計装置１００に通信機能を設けるようにして、システム回路図設計装置１００による処理を実行するためのプログラムや当該処理に用いる各種データを、通信により外部からシステム回路図設計装置１００の記憶装置１４のランダムアクセスメモリへ読み込むようにしてもよい。
【００４１】
なお、以下の説明においては、システム回路図設計装置１００の理解を容易にするために、記憶装置１４に後述するシステム回路図設計装置１００による処理を実行するためのプログラムや当該処理に用いる各種データが予め記憶されているものとする。
【００４２】
ここで、図２には、システム回路図設計装置１００の機能的特徴をブロック化した機能ブロック図が示されており、また、図３には、基板外形設定処理（後述する。）の処理ルーチンのフローチャートが示されており、また、図４には、物理コネクタ抽出処理（後述する。）の処理ルーチンのフローチャートが示されており、また、図５には、物理コネクタ配置処理（後述する。）の処理ルーチンのフローチャートが示されており、また、図６には、物理コネクタ間接続処理（後述する。）の処理ルーチンのフローチャートが示されており、これら図２乃至図６を参照しながら、システム回路図設計装置１００により実行される処理内容を説明する。
【００４３】
このシステム回路図設計装置１００においては、後述する各種の処理により、複数基板設計間の接続を回路図設計において予め設定およびチェックすることができる。
【００４４】
即ち、システム回路図設計装置１００においては、はじめに、ＣＰＵ１０の制御により、基板の外形形状たる基板外形を設定する基板外形設定処理１０２が行われる。
【００４５】
より詳細には、システム回路図設計装置１００のユーザーが、表示装置１６の画面上において、ポインティングデバイス２０の操作により基板の外形形状として所望の大きさおよび形状の枠形状を所定の領域において指定すると、当該指定した枠形状が基板外形として設定され（ステップＳ３０２）、設定された基板外形を表示装置１６の画面上の当該所定の領域上に表示する（ステップＳ３０４）処理が行われる。
【００４６】
そして、この基板外形設定処理１０２においては、システム回路図設計装置１００によるシステム回路図設計の対象となる全ての基板について、基板外形を設定する処理が行われるものであり、結果として、少なくとも２以上の複数の基板の基板外形が設定されることになる。
【００４７】
なお、図７乃至図１３を参照しながら後述するシステム回路図設計装置１００の動作例においては、基板外形を設定するための領域を「シート」として設定することができ、当該シートのシート名を特定することにより、上記した所定の領域が定義されている。
【００４８】
次に、システム回路図設計装置１００においては、ＣＰＵ１０の制御により、記憶装置１４に記憶されているデータである各種シンボルを示す情報の中から、物理コネクタのシンボル（本明細書においては、物理コネクタのシンボルを「物理コネクタ基板シンボル」と適宜に称する。）を示す情報のみを抽出する物理コネクタ抽出処理１０４が行われる。
【００４９】
より詳細には、基板外形設定処理１０２により設定した複数の基板のそれぞれに対応する基板回路図設計上に配置された各種のシンボルを示す情報（以下、「シンボルを示す情報」を「シンボル情報」と適宜に称する。）を検索し（ステップＳ４０２）、検索した各種シンボルのシンボル情報の中から物理コネクタ基板シンボルのシンボル情報のみを抽出し（ステップＳ４０４）、抽出した物理コネクタ基板シンボルのシンボル情報に基づいて当該シンボル情報により示される物理コネクタ基板シンボルを表示装置１６の画面に表示する（ステップＳ４０６）処理が行われる。
【００５０】
なお、ステップＳ４０６の処理において物理コネクタ基板シンボルを表示装置１６の画面に表示する際には、基板外形設定処理１０２のステップＳ３０４の処理において基板外形を表示した領域と同一の領域内に表示するようにしてもよいし、また、基板外形を表示した領域とは異なる領域に表示するようにしてもよい。
【００５１】
次に、システム回路図設計装置１００においては、ＣＰＵ１０の制御により、物理コネクタ抽出処理１０４により抽出された物理コネクタ基板シンボルを、基板外形設定処理１０２のステップＳ３０４の処理において表示された基板外形の領域内に配置する物理コネクタ配置処理１０６が行われる。
【００５２】
より詳細には、システム回路図設計装置１００のユーザーがポインティングデバイス２０の操作により、基板外形設定処理１０２のステップＳ３０４の処理において表示装置１６の画面に表示された物理コネクタ基板シンボルの中から任意の物理コネクタ基板シンボルを指定すると、当該指定された物理コネクタ基板シンボルが物理コネクタ配置処理１０６による処理対象として設定される（ステップＳ５０２）。
【００５３】
なお、例えば、ポインティングデバイス２０がマウスの場合には、当該マウスのマウスポインタを任意の物理コネクタ基板シンボル上に位置させてクリックする操作により、当該クリックされた物理コネクタ基板シンボルが物理コネクタ配置処理１０６による処理対象として設定されるように構成することができる。
【００５４】
その後に、上記ユーザーがポインティングデバイス２０の操作により、当該処理対象として設定された物理コネクタ基板シンボルを、基板外形設定処理１０２のステップＳ３０４の処理において表示された基板外形の領域内の移動して当該領域内における所望の位置に置くと、当該所望の位置が当該処理対象として設定された物理コネクタ基板シンボルの当該基板外形の領域内の配置位置として設定され（ステップＳ５０４）、当該設定された配置位置の位置情報に基づいて当該基板外形の領域内の当該配置位置に当該処理対象として設定された物理コネクタ基板シンボルが位置するようにして表示装置１６の画面に表示する（ステップＳ５０６）処理が行われる。
【００５５】
なお、例えば、ポインティングデバイス２０がマウスの場合には、当該マウスによるドラッグアンドドロップの操作により、当該処理対象として設定された物理コネクタ基板シンボルを当該基板外形の領域内における当該所望の位置に配置するように構成することができる。
【００５６】
次に、システム回路図設計装置１００においては、ＣＰＵ１０の制御により、物理コネクタ配置処理１０６により基板外形の領域内における所望の位置に配置された物理コネクタ基板シンボルについて、接続関係にある物理コネクタ基板シンボル同士を信号線により接続し、基板外形設定処理１０２により基板外形を設定した基板間の接続状態を示すシステム回路図を生成する物理コネクタ間接続処理１０８が行われる。
【００５７】
より詳細には、システム回路図設計装置１００のユーザーがポインティングデバイス２０や文字入力デバイス２２の操作により、物理コネクタ配置処理１０６により基板外形の領域内に配置された物理コネクタ基板シンボルの中から、信号線により接続する対象として一対の物理コネクタ基板シンボル、即ち、２個の物理コネクタ基板シンボルを指定すると、当該指定された一対の物理コネクタ基板シンボルが物理コネクタ間接続処理１０８による処理対象として設定される（ステップＳ６０２）。
【００５８】
そして、上記したステップＳ６０２の処理により、物理コネクタ間接続処理１０８の処理対象として一対の物理コネクタ基板シンボルが指定されると、予め設定された任意のルールに従って上記一対の物理コネクタ基板シンボル同士を接続する信号線が自動的に設定され（ステップＳ６０４）、これによりシステム回路図が得られる。
【００５９】
また、当該設定された信号線の情報に基づいて、当該処理対象の一対の物理コネクタ基板シンボル同士を接続する信号線を表示装置１６の画面に表示する（ステップＳ６０６）処理が行われ、これによりユーザーはシステム回路図を視認することができる。
【００６０】
ここで、上記により得られたシステム回路図は、記憶装置１４に記憶され、また、出力装置１８により出力するようようにしてもよい。
【００６１】
なお、上記した信号線を設定するための任意のルールの一例については、図７乃至図１３に示すシステム回路図設計装置１００の動作例を参照しながら後に詳述する。
【００６２】
また、ステップＳ６０４の処理により一対の物理コネクタ基板シンボル同士を自動的に接続する処理において、図７乃至図１３に示すシステム回路図設計装置１００の動作例を参照しながら後に詳述するように、信号線により接続された物理コネクタ基板シンボル間の接続チェックを行う物理コネクタ間接続チェック処理を実行するようにしてもよい。
【００６３】
上記のようにして基板外形の領域内における所望の位置に配置された物理コネクタ基板シンボル同士を信号線で接続する物理コネクタ間接続処理１０８が行われると、ＣＰＵ１０の制御により、システム回路図設計装置１００における処理対象の複数の基板に係る物理コネクタ基板シンボルを含めた全シンボルの部品情報を部品表として出力する部品表出力処理１１０を実行することができる。なお、この部品表の情報たる部品表情報は、記憶装置１４にも記憶される。
【００６４】
より詳細には、システム回路図設計装置１００のユーザーがポインティングデバイス２０や文字入力デバイス２２の操作により部品表の出力を指示すると、出力装置１８により部品表を出力する。
【００６５】
同様に、上記のようにして基板外形の領域内における所望の位置に配置された物理コネクタ基板シンボル同士を信号線で接続する物理コネクタ間接続処理１０８が行われると、ＣＰＵ１０の制御により、システム回路図設計装置１００における処理対象の複数の基板に係る接続情報を出力する接続情報出力処理１１２を実行することができる。なお、この接続情報は、記憶装置１４にも記憶される。
【００６６】
より詳細には、システム回路図設計装置１００のユーザーがポインティングデバイス２０や文字入力デバイス２２の操作により接続情報の出力を指示すると、出力装置１８により接続情報としてネットリストを出力する。
【００６７】
なお、上記した各処理において発生する部品表情報および接続情報以外の各種の情報も、記憶装置１４に適宜に記憶されるものである。
【００６８】
次に、図７乃至図１３に示すシステム回路図設計装置１００の動作例を参照しながら、システム回路図設計装置１００により実行される処理内容についてさらに詳細に説明する。
【００６９】
ここで、図７（ａ）（ｂ）（ｃ）（ｄ）には、システム回路図設計装置１００の表示装置１６に表示される主要な表示例を模式的に示す説明図が示されている。
【００７０】
より詳細には、図７（ａ）は、ファイルマネージャーの表示画面７−１の一例を示し、システム回路図設計装置１００において処理対象とする基板外形を設定するシート（システム回路図設計装置１００においては、複数のシートを設定することができる。）を特定するためのシート名を表示するシート名表示領域７−２および物理コネクタ基板シンボルで構成された基板回路名を表示する基板回路名表示領域７−３がツリー構造で表示されることになる。
【００７１】
ここで、ファイルマネージャーの表示画面の基板回路名表示領域７−３には、システム回路図設計上に配置された物理コネクタ基板シンボルで構成された基板回路と同数の基板回路名が表示されることになり、物理コネクタ基板シンボルが基板外形に配置されていない場合には、基板回路名表示領域７−３には基板回路名が表示されることはない。
【００７２】
なお、図７（ａ）に示す例においては、図７乃至図１３に示すシステム回路図設計装置１００の動作例において用いるシートのシート名として、シート００１を意味する「００１．ｓｈｔ」がシート名表示領域７−２に表示されており、また、図７乃至図１３に示すシステム回路図設計装置１００の動作例において用いる基板回路の基板回路名として、セグメント回路を意味する「セグメント」およびコントロール回路を意味する「コントロール」が基板回路名表示領域７−３に表示されている。
【００７３】
次に、図７（ｂ）は、システム回路図設計装置１００のエディタ画面の一例であり、このエディタ画面上において、上記したシステム回路図設計装置１００の各種の処理が行われる。
【００７４】
即ち、このエディタ画面上で基板外形の設定、物理コネクタ基板シンボルの配置あるいは物理コネクタ基板シンボル間の接続の処理などが行われるものである。
【００７５】
なお、図７（ｂ）において、符号７−４はシート００１の領域たるシート領域を示している。
【００７６】
そして、このシート領域７−４内において破線で示されている基板外形７−５−１、７−５−２ならびに物理コネクタ基板シンボル７−６−１、７−６−２、７−６−３、７−６−４は、この動作例においてエディタ画面上に設定されることになる基板外形ならびに物理コネクタ基板シンボルである。
【００７７】
なお、上記したように基板外形７−５−１、７−５−２は、システム回路図設計を構成する基板回路図設計に対応してユーザーにより設定される。
【００７８】
ここで、図７（ｂ）において、左側に示された基板外形７−５−１は、この動作例を説明するために用いる第１の基板回路図設計たるコントロール回路の基板回路図設計（「第１の基板回路図設計たるコントロール回路の基板回路図設計」を「基板回路図設計Ａ」と称する。）に対応してユーザーが設定した基板外形に対応し、また、右側に示された基板外形７−５−２は、この動作例を説明するために用いる第２の基板回路図設計たるセグメント回路の基板回路図設計（「第２の基板回路図設計たるセグメント回路の基板回路図設計」を「基板回路図設計Ｂ」と称する。）に対応している。
【００７９】
次に、図７（ｃ）（ｄ）は、従来の基板回路図設計におけるエディタ画面の一例であり、従来の基板回路図設計、即ち、ＩＣ部品シンボルやディスクリート部品シンボルあるいは物理コネクタ基板シンボルなどの配置や接続などは、このエディタ画面において行われる。
【００８０】
なお、図７（ｃ）は基板回路図設計Ａのエディタ画面であり、また、図７（ｄ）は基板回路図設計Ｂのエディタ画面である。
【００８１】
即ち、このシステム回路図設計装置１００の動作例においては、基板回路図設計Ａと基板回路図設計Ｂとを処理対象としてシステム回路図設計が行われるものであり、基板回路図設計Ａにおける物理コネクタ基板シンボル７−６−１、７−６−２がシステム回路図設計に反映されるとともに、基板回路図設計Ｂにおける物理コネクタ基板シンボル７−６−３、７−６−４がシステム回路図設計に反映されることになる。
【００８２】
次に、図８（ａ）（ｂ）は、物理コネクタ抽出処理１０４において表示装置１６に表示される表示例の一例を示している。
【００８３】
より詳細には、図８（ａ）は、物理コネクタ基板シンボル入力ツールの表示画面８−１の一例を示し、名称指定領域８−２に基板回路図設計の名称を入力して当該基板回路図設計を指定し、ＯＫボタン８−３をマウスなどでクリックすることにより、当該基板回路図設計に含まれる物理コネクタ基板シンボルを自動的に抽出する物理コネクタ抽出処理１０４が実行される。
【００８４】
なお、基板回路図設計に含まれる物理コネクタ基板シンボルを自動的に抽出する処理においては、例えば、物理コネクタ基板シンボルに含まれる種別コードなどをキーとして自動的に抽出するようにすればよい。
【００８５】
また、図８（ｂ）は、物理コネクタ抽出処理１０４により基板回路図設計データから物理コネクタ基板シンボルを抽出した状態の表示例の一例を示している。
【００８６】
なお、この図８（ｂ）には、基板回路図設計Ａにおける物理コネクタ基板シンボル７−６−１、７−６−２を抽出した状態が示されている。
【００８７】
次に、図９は、物理コネクタ配置処理１０６において表示装置１６に表示される表示例の一例であり、基板外形７−５−１の領域内に物理コネクタ基板シンボル７−６−１、７−６−２を配置するとともに、基板外形７−５−２の領域内に物理コネクタ基板シンボル７−６−３、７−６−４を配置した後の状態を示している。
【００８８】
次に、図１０（ａ）（ｂ）は、ピン数が同一の物理コネクタ同士を接続する、即ち、同一ピン数の物理コネクタ同士を接続する物理コネクタ間接続処理１０８において表示装置１６に表示される表示例の一例を示している。
【００８９】
より詳細には、図１０（ａ）は、基板シンボル自動接続ツールの表示画面１０−１の一例を示し、接続対象とする一対の物理コネクタ基板シンボル間の接続を自動的に一括で行うように設定されている。
【００９０】
即ち、接続対象とする一対の物理コネクタ基板シンボルの一方を指定する第１指定欄１０−２に、接続対象とする一対の物理コネクタ基板シンボルの一方の名称を入力して当該一方の物理コネクタ基板シンボルを指定し、また、接続対象とする一対の物理コネクタ基板シンボルの他方を指定する第２指定欄１０−３に、接続対象とする一対の物理コネクタ基板シンボルの他方の名称を入力して当該他方の物理コネクタ基板シンボルを指定すると、第１指定欄１０−２および第２指定欄１０−３で指定した物理コネクタ基板シンボルの属性として、接続ピン情報表示領域１０−４に第１指定欄１０−２および第２指定欄１０−３で指定した物理コネクタ基板シンボルの接続ピン情報が一覧表形式で表示される。
【００９１】
ここで、図１０（ａ）における接続ピン情報表示領域１０−４の左半分の欄１０−４−１が、第１指定欄１０−２で指定した物理コネクタ基板シンボルの接続ピン情報を示しており、一方、図１０（ａ）における接続ピン情報表示領域１０−４の右半分の欄１０−４−２が、第２指定欄１０−３で指定した物理コネクタ基板シンボルの接続ピン情報を示しているものであって、同一行が接続関係にあるピンとして認識されるものである。
【００９２】
なお、接続ピン情報としては、ピン番号、ＩＯ属性、コメントあるいはユーザラベルなどの属性設定を可能としてもよい。
【００９３】
そして、符号１０−５はＯＫボタンであり、このＯＫボタン１０−５をマウスなどでクリックすることにより、物理コネクタ同士を接続する物理コネクタ間接続処理１０８が実行される。
【００９４】
また、図１０（ｂ）は、物理コネクタ間接続処理１０８により物理コネクタ基板シンボル間を信号線１０−６、１０−７で接続した後の状態のシステム回路図の表示例の一例を示している。
【００９５】
なお、信号線１０−６による接続は、信号線同士が交差しないストレート接続の例を示し、また、信号線１０−７による接続は、信号線同士が交差するクロス接続の例を示している。
【００９６】
次に、図１１（ａ）（ｂ）（ｃ）（ｄ）（ｅ）（ｆ）（ｇ）は、ピン数が異なる物理コネクタ同士を接続する、即ち、異なるピン数の物理コネクタ同士を接続する物理コネクタ間接続処理１０８において表示装置１６に表示される表示例の一例を示している。
【００９７】
より詳細には、図１１（ａ）は、物理コネクタ同士を信号線により接続する前のシステム回路図設計のエディタ画面１１−１、即ち、物理コネクタ配置処理１０６において表示装置１６に表示される表示例の一例である。
【００９８】
なお、図１１（ａ）に示すエディタ画面１１−１においては、シート領域や基板外形の図示を省略して、５ピンの物理コネクタ基板シンボル１１−２と３ピンの物理コネクタ基板シンボル１１−３と２ピンの物理コネクタ基板シンボル１１−４とが示されている。
【００９９】
また、図１１（ｂ）は、基板シンボル自動接続ツールの表示画面１１−５の一例を示し、基板シンボル自動接続ツールにおいて５ピンの物理コネクタ基板シンボル１１−２と３ピンの物理コネクタ基板シンボル１１−３とを接続する設定例が示されている。
【０１００】
また、図１１（ｃ）は、図１１（ｂ）に示す表示画面においてＯＫボタン１１−６をマウスなどでクリックすることにより、物理コネクタ同士を接続する物理コネクタ間接続処理１０８を実行させて、５ピンの物理コネクタ基板シンボル１１−２と３ピンの物理コネクタ基板シンボル１１−３とを信号線１１−７で接続した後の状態のシステム回路図の表示例の一例を示している。
【０１０１】
また、図１１（ｄ）は、基板シンボル自動接続ツールにおける、図１１（ｂ）に示す表示画面１１−５での物理コネクタ間接続処理１０８を実行した後の表示例である。
【０１０２】
また、図１１（ｅ）は、基板シンボル自動接続ツールの表示画面１１−８の一例を示し、接続対象とする一対の物理コネクタ基板シンボルの他方を指定する第２指定欄１１−９に、新たに２ピンの物理コネクタ基板シンボル１１−４を指定する状態を示しており、基板シンボル自動接続ツールにおける５ピンの物理コネクタ基板シンボル１１−２の残り２ピンと２ピンの物理コネクタ基板シンボル１１−４とを接続するための設定例が示されている。
【０１０３】
また、図１１（ｆ）は、図１１（ｅ）に示す表示画面においてＯＫボタン１１−１０をマウスなどでクリックすることにより、物理コネクタ同士を接続する物理コネクタ間接続処理１０８を実行させて、５ピンの物理コネクタ基板シンボル１１−２の残り２ピンと２ピンの物理コネクタ基板シンボル１１−４とを信号線１１−１１で接続した後の状態のシステム回路図の表示例の一例を示している。
【０１０４】
また、図１１（ｇ）は、基板シンボル自動接続ツールにおける、図１１（ｅ）に示す表示画面での物理コネクタ間接続処理１０８を実行した後の表示例である。
【０１０５】
次に、図１２は、物理コネクタ間接続チェック処理において表示装置１６に表示される表示画面１２−１の表示例の一例であり、第１ピン名表示領域１２−２には接続対象にある一対の物理コネクタ基板シンボルの一方のピン名が表示され、また、第２ピン名表示領域１２−３には接続対象にある一対の物理コネクタ基板シンボルの他方のピン名が表示される。
【０１０６】
次に、図１３（ａ）（ｂ）（ｃ）（ｄ）は、部品表出力処理１１０において表示装置１６に表示される表示画面の表示例の一例を示している。
【０１０７】
より詳細には、図１３（ａ）は、部品表出力ツールの表示画面１３−１の一例を示し、部品表の出力対象とするシステム回路図設計の開始シート番号を入力する開始シート番号入力領域１３−２や部品表の出力対象とするシステム回路図設計の終了シート番号を入力する終了シート番号入力領域１３−３が設けられている。
【０１０８】
また、図１３（ｂ）は、図１３（ａ）に示す部品表出力ツールのＯＫボタン１３−４をマウスなどでクリックして部品表出力処理１１０を実行することにより、出力装置１８から出力される部品表の一例を示す説明図である。
【０１０９】
また、図１３（ｃ）は、システム回路図設計のファイルマネージャーにおける物理コネクタ基板シンボルの選択例を示す表示装置１６における表示画面１３−５である。
【０１１０】
また、図１３（ｄ）は、基板回路図設計の起動コマンドを示す表示装置１６におけるアシストメニューの表示画面１３−６である。
【０１１１】
以下、上記した図７乃至図１３を参照しながらシステム回路図設計装置１００の動作例として、システム回路図設計装置１００によりシステム回路図設計の新規作成を行う場合について説明する。
【０１１２】
その場合には、まず、ファイルマネージャーにシステム回路図設計用のシートとしてシート名「シート００１（００１．ｓｈｔ）」（シート名表示領域７−２を参照する。）が作成され（図７（ａ）を参照する。）、かつ、表示装置１６にシステム回路図設計のエディタ画面（図７（ｂ）を参照する。）が表示される。
【０１１３】
次に、基板外形設定処理１０２により、システム回路図設計のエディタ画面上のシート００１のシート領域７−４に、マウスなどのポインティングデバイス２０を用いて基板外形７−５−１、７−５−２を設定する（ステップＳ３０２、ステップＳ３０４）。
【０１１４】
なお、基板外形の形状を厳密に設定するか、あるいは、目安程度に設定するかは、ユーザーの判断に委ねられるが、厳密に設定した場合には、基板設計側に基板外形の設定情報が渡されるようにしてもよい。
【０１１５】
次に、物理コネクタ抽出処理１０４により、システム回路図設計のエディタ画面上に設定された基板外形７−５−１、７−５−２の領域内に配置する物理コネクタ基板シンボル７−６−１、７−６−２、７−６−３、７−６−４を抽出する（ステップＳ４０２、ステップＳ４０４、ステップＳ４０６）。
【０１１６】
具体的な操作としては、物理コネクタ基板シンボル入力ツール（図８（ａ）を参照する。）を用いて、基板回路図設計Ａの名称を指定して実行することで、基板回路図設計Ａに含まれる物理コネクタ基板シンボル７−６−１、７−６−２を抽出する（図７（ｃ）、図８（ｂ）を参照する。）。また、同様に、物理コネクタ基板シンボル入力ツールを用いて、基板回路図設計Ｂの名称を指定して実行することで、基板回路図設計Ｂに含まれる物理コネクタ基板シンボル７−６−３、７−６−４を抽出する（図７（ｄ）を参照する。）。
【０１１７】
次に、物理コネクタ配置処理１０６により、システム回路図設計のエディタ画面上においてマウスなどのポインティングデバイス２０を用いて、図９に示すように、基板外形７−５−１の領域内に物理コネクタシンボル７−６−１、７−６−２を配置するとともに、基板外形７−５−２の領域内に物理コネクタシンボル７−６−３、７−６−４を配置する（ステップＳ５０２、ステップＳ５０４、ステップＳ５０６）。
【０１１８】
次に、物理コネクタ間接続処理１０８により、それぞれ接続関係にある物理コネクタ基板シンボル同士を接続する（ステップＳ６０２、ステップＳ６０４、ステップＳ６０６）。
【０１１９】
具体的には、基板シンボル自動接続ツール（図１０（ａ）を参照する。）を用いて、接続ピン情報表示領域１０−４に表示される同じ行のピン同士を一括で自動接続する。
【０１２０】
ところで、物理コネクタ基板シンボル間の接続は一般的にストレート接続あるいはクロス接続のいずれかとなるが、シンボル自動接続ツールを用いる場合に、図１０（ａ）における接続ピン情報表示領域１０−４の表示例のように、基板シンボル１と基板シンボル２とが共に昇順でピン番号が並べられ、この状態で基板シンボル自動接続ツールを実行すると、信号線１０−６で示すようなストレート接続となる（図１０（ｂ）を参照する。）。
【０１２１】
これに対し、接続ピン情報表示領域１０−４において、基板シンボル１と基板シンボル２とのいずれか一方が昇順であり、かつ、他方が降順でピン番号が並べられた状態で基板シンボル自動接続ツールを実行すると、信号線１０−７で示すようなクロス接続となる（図１０（ｂ）を参照する。）。
【０１２２】
なお、図１０（ａ）（ｂ）に示す表示例は、同一ピン数の物理コネクタ基板シンボル同士の接続の例であるが、異なるピン数の物理コネクタ基板シンボルを接続する場合は以下の通りである。
【０１２３】
図１１（ａ）（ｂ）（ｃ）（ｄ）（ｅ）（ｆ）（ｇ）は、図１１（ａ）に示した５ピンの物理コネクタ基板シンボル１１−２と３ピンの物理コネクタ基板シンボル１１−３および２ピンの物理コネクタ基板シンボル１１−４との接続例を示している。
【０１２４】
この場合には、まず、基板シンボル自動接続ツールを用いて（図１１（ｂ）を参照する。）、５ピンの物理コネクタ基板シンボル１１−２と３ピンの物理コネクタ基板シンボル１１−３とをそれぞれ昇順で設定して実行すると、図１１（ｃ）に示すように５ピンの物理コネクタ基板シンボル１１−２と３ピンの物理コネクタ基板シンボル１１−３とが信号線１１−７によりストレート接続され、基板シンボル自動接続ツールには５ピンの物理コネクタ基板シンボル１１−２の残り２ピンのみ表示される（図１１（ｄ）を参照する。）。
【０１２５】
そこで、基板シンボル自動接続ツールにおいて、図１１（ｅ）に示すように新たに２ピンの物理コネクタ基板シンボル１１−４を指定し、上記と同様にそれぞれ昇順に設定して実行すると、図１１（ｆ）に示すように５ピンの物理コネクタ基板シンボル１１−２の残りの２ピンと２ピンの物理コネクタ基板シンボル１１−４とが信号線１１−１１によりストレート接続され、基板シンボル自動接続ツールには未接続のピンが無くなり無表示となる（図１１（ｇ）を参照する。）。
【０１２６】
ここで、物理コネクタ基板シンボル間の自動接続の際に、さらに物理コネクタ間接続チェック処理により、信号線で接続する前に物理コネクタ基板シンボル間の接続状態をチェックするようにしても良い。
【０１２７】
即ち、このシステム回路図設計装置１００においては、物理コネクタ基板シンボルの接続ピン情報として、ピン番号、ＩＯ属性、コメント、ユーザラベルなどの属性設定が可能であるものとし、これらの属性の中からチェック実行対象とする属性を選択する。
【０１２８】
例えば、ピン名をチェック実行対象とした場合は、ピン名の相違がチェック対象とされる。
【０１２９】
図１２に示す例では、第１ピン名表示領域１２−２における１行目と３行目とのピン名はそれぞれＡ、Ｃであるのに対し、第２ピン名表示領域１２−３における１行目と３行目とのピン名はそれぞれＣ、Ａであるため、物理コネクタ間接続チェック処理の結果がエラーとして検出され、エラー箇所のセルが強調表示される。
【０１３０】
従って、このようなチェック機能が備わることで、基板回路図設計で設定した接続ピン情報のエラーチェックが可能となり、システム回路図設計時において、物理コネクタ基板シンボル間の接続ミスや物理コネクタ基板シンボルの属性記入ミスなどを防ぐことが可能となる。
【０１３１】
次に、部品表出力処理１１０により、システム回路図設計の部品表を出力するものであり、具体的には、システム回路図設計上で部品表出力ツールを用いて（図１３（ａ）を参照する。）、出力対象とするシート番号の開始番号を開始シート番号入力領域１３−２に入力して指定するとともに、出力対象とするシート番号の終了番号を終了シート番号入力領域１３−３に入力して指定して部品表出力を実行すると、システム回路図設計上に配置されている物理コネクタ基板シンボルを通じて展開される基板回路図設計に配置されている全てのシンボルに対して、種別毎にシンボル数が集計され部品表として出力される（図１３（ｂ）を参照する。）。
【０１３２】
このようにシステム回路図設計上で物理コネクタ基板シンボルを配置することにより、基板回路図設計に含まれる全てのシンボルに対する部品表を容易に作成することができるようになる。
【０１３３】
なお、物理コネクタ基板シンボルを通じて基板回路図設計への展開が可能であることから、システム回路図設計のファイルマネージャーで基板回路を選択した後に（図１３（ｃ）を参照する。）、アシストメニューで「基板回路を開く」を選択すると（図１３（ｄ）を参照する。）、基板回路図設計が起動され。また、アシストメニューで「基板シンボルを選択」を選択すると（図１３（ｄ）を参照する。）、物理コネクタ基板シンボルの選択が可能となる。
【０１３４】
具体的には、図１３（ｃ）に示すシステム回路図設計のファイルマネージャーで基板回路として、例えば、セグメント回路をポインティングデバイス２０で指定してクリックすると、図１３（ｄ）に示すアシストメニューが表示され、このアシストメニューで「基板回路を開く」をポインティングデバイス２０で指定してクリックすると、セグメント回路にかかる基板回路図設計の起動がされ、一方、図１３（ｄ）に示すアシストメニューが表示され、このアシストメニューで「基板シンボルを選択」をポインティングデバイス２０で指定してクリックすると、セグメント回路にかかる物理コネクタ基板シンボルが全て選択される。
【０１３５】
なお、この際に、図１３（ｃ）に示すシステム回路図設計のファイルマネージャーで基板回路をポインティングデバイス２０で指定する際に、例えば、ダブルクリックで指定すると、図１３（ｄ）に示すアシストメニューを経ることなく、自動的に当該指定した基板回路の基板回路図設計が起動されるように設定してもよい。
【０１３６】
また、基板回路図設計の起動および物理コネクタ基板シンボルの選択は、ファイルマネージャーからではなく、システム回路図設計上の物理コネクタ基板シンボルに対しておこなわれてもよいことは勿論である。
【０１３７】
即ち、システム回路図設計上の物理コネクタ基板シンボルを選択することにより、当該選択した物理コネクタ基板シンボルが配置されている基板回路の基板回路図設計を起動させるようにしてもよい。
【０１３８】
なお、詳細な説明は図示ならびに説明は省略するが、部品表出力処理１１０に対し、出力対象を部品表から接続情報にすることで、接続情報出力処理１１２によるネットリスト出力をおこなうようにしてもよい。
【０１３９】
システム回路図設計装置１００は、以上説明したように構成されているので、以下に記載するような優れた効果を奏する。
【０１４０】
即ち、システム回路図設計装置１００により、基板設計で使用される物理コネクタおよび基板外形などをイメージしながらのシステム回路図の設計、即ち、基板外形設定、物理コネクタ抽出／配置、物理コネクタ間接続／チェック、部品表出力、接続情報出力などがなされることで、後工程となる基板設計において、複数基板間の接続をミス無く行うことが可能となる。
【０１４１】
なお、上記した実施の形態は、以下に示す（１）乃至（７）に説明するように変形してもよい。
【０１４２】
（１）上記した実施の形態においては、信号線により接続する対象である一対の物理コネクタ基板シンボルがいずれも複数のピンを有する場合について説明したが、これに限られるものではないことは勿論である。
【０１４３】
即ち、信号線により接続する対象である一対の物理コネクタ基板シンボルがいずれも単数のピンを有する場合についても、本発明を適用することができ、また、信号線により接続する対象である一対の物理コネクタ基板シンボルのうちの一方が単数のピンを有するとともに他方が複数のピンを有する場合についても、本発明を適用することができ、
（２）上記した実施の形態においては、本発明の理解を容易にするために詳細な説明を省略したが、物理コネクタ基板シンボルを基板外形の領域内に配置する際に、基板回路図設計における物理コネクタ基板シンボルのピンの相対的な位置関係を保持するようにして配置させてもよい。
【０１４４】
（３）上記した実施の形態においては、物理コネクタ間接続処理１０８では予め定義されたルールやパラメータに従って信号線を自動接続する場合について説明したが、これに限られるものではないことは勿論であり、マウスなどの入力デバイスを用いてマニュアル（手動操作）により信号線を一本ずつ接続するようにしてもよい。
【０１４５】
（４）上記した実施の形態においては、部品表出力処理１１０では物理コネクタ基板シンボルを含めた全シンボルを出力する場合について説明したが、これに限られるものではないことは勿論であり、物理コネクタ基板シンボルのみを出力するようにしてもよいし、あるいは、物理コネクタ基板シンボルを除く他のシンボルのみを出力するようにしてもよい。
【０１４６】
（５）上記した実施の形態においては、物理コネクタ間接続チェック処理ではチェック対象をピン名としたが、これに限られるものではないことは勿論であり、ピン番号などの他のパラメータでもよい。
【０１４７】
（６）上記した実施の形態においては、本発明の理解を容易にするために詳細な説明を省略したが、接続ピン情報として、ピン番号、ＩＯ属性、コメント、ユーザラベルなどの属性設定を可能としてもよい。
【０１４８】
（７）上記した実施の形態ならびに上記した（１）乃至（６）に示す変形例は、適宜に組み合わせるようにしてもよい。
【産業上の利用可能性】
【０１４９】
本発明は、１つの筐体内に複数の基板を収容する各種機器を設計する際に利用すると好適である。
【図面の簡単な説明】
【０１５０】
【図１】図１は、本発明によるシステム回路図設計装置の実施の形態の一例のハードウェア構成を表すブロック構成図である。
【図２】図２は、システム回路図設計装置の機能的特徴をブロック化した機能ブロック図である。
【図３】図３は、基板外形設定処理の処理ルーチンのフローチャートである。
【図４】図４は、物理コネクタ抽出処理の処理ルーチンのフローチャートである。
【図５】図５は、物理コネクタ配置処理の処理ルーチンのフローチャートである。
【図６】図６は、物理コネクタ間接続処理の処理ルーチンのフローチャートである。
【図７】図７（ａ）（ｂ）（ｃ）（ｄ）は、システム回路図設計装置の表示装置に表示される主要な表示例を模式的に示す説明図であり、図７（ａ）は、ファイルマネージャーの表示画面の一例を示し、また、図７（ｂ）は、システム回路図設計装置のエディタ画面の一例を示し、また、図７（ｃ）（ｄ）は、従来の基板回路図設計におけるエディタ画面の一例を示す。
【図８】図８（ａ）（ｂ）は、物理コネクタ抽出処理において表示装置に表示される表示例の一例を示す説明図であり、図８（ａ）は、物理コネクタ基板シンボル入力ツールの表示画面の一例を示し、また、図８（ｂ）は、物理コネクタ抽出処理により基板回路図設計データから物理コネクタ基板シンボルを抽出した状態の表示例の一例を示す。
【図９】図９は、物理コネクタ配置処理において表示装置に表示される表示例の一例示す説明図である。
【図１０】図１０（ａ）（ｂ）は、ピン数が同一の物理コネクタ同士を接続する、即ち、同一ピン数の物理コネクタ同士を接続する物理コネクタ間接続処理において表示装置に表示される表示例の一例を示す説明図であり、図１０（ａ）は、基板シンボル自動接続ツールの表示画面の一例を示し、また、図１０（ｂ）は、物理コネクタ間接続処理により物理コネクタ基板シンボル間を信号線で接続した後の状態のシステム回路図の表示例の一例を示す。
【図１１】図１１（ａ）（ｂ）（ｃ）（ｄ）（ｅ）（ｆ）（ｇ）は、ピン数が異なる物理コネクタ同士を接続する、即ち、異なるピン数の物理コネクタ同士を接続する物理コネクタ間接続処理において表示装置に表示される表示例の一例を示す説明図であり、図１１（ａ）は、物理コネクタ同士を信号線により接続する前のシステム回路図設計のエディタ画面、即ち、物理コネクタ配置処理において表示装置に表示される表示例の一例を示し、また、図１１（ｂ）は、基板シンボル自動接続ツールの表示画面の一例を示し、また、図１１（ｃ）は、図１１（ｂ）に示す表示画面においてＯＫボタンをマウスなどでクリックすることにより、物理コネクタ同士を接続する物理コネクタ間接続処理を実行させて、５ピンの物理コネクタ基板シンボルと３ピンの物理コネクタ基板シンボルとを信号線で接続した後の状態のシステム回路図の表示例の一例を示し、図１１（ｄ）は、基板シンボル自動接続ツールにおける、図１１（ｂ）に示す表示画面での物理コネクタ間接続処理を実行した後の表示例を示し、また、図１１（ｅ）は、基板シンボル自動接続ツールの表示画面の一例を示し、また、図１１（ｆ）は、図１１（ｅ）に示す表示画面においてＯＫボタンをマウスなどでクリックすることにより、物理コネクタ同士を接続する物理コネクタ間接続処理を実行させて、５ピンの物理コネクタ基板シンボルの残り２ピンと２ピンの物理コネクタ基板シンボルとを信号線で接続した後の状態のシステム回路図の表示例の一例を示し、また、図１１（ｇ）は、基板シンボル自動接続ツールにおける、図１１（ｅ）に示す表示画面での物理コネクタ間接続処理を実行した後の表示例を示す。
【図１２】図１２は、物理コネクタ間接続チェック処理において表示装置に表示される表示画面の表示例の一例を示す説明図である。
【図１３】図１３（ａ）（ｂ）（ｃ）（ｄ）は、部品表出力処理において表示装置に表示される表示画面の表示例の一例を示す説明図であり、図１３（ａ）は、部品表出力ツールの表示画面の一例を示し、また、図１３（ｂ）は、図１３（ａ）に示す部品表出力ツールのＯＫボタンをマウスなどでクリックして部品表出力処理を実行することにより、出力装置から出力される部品表の一例を示し、また、図１３（ｃ）は、ファイルマネージャーにおける物理コネクタ基板シンボルの選択例を示し、また、図１３（ｄ）は、基板回路図設計の起動コマンドを示す。
【符号の説明】
【０１５１】
１０              中央処理装置（ＣＰＵ）
１２              バス
１４              記憶装置
１６              表示装置
１８              出力装置
２０              ポインティングデバイス
２２              文字入力デバイス
２４              入出力インターフェース回路（Ｉ／Ｏ）
２６              外部記憶装置
２８              リードライト装置
３０              記録媒体
１００              システム回路図設計装置
１０２              基板外形設定処理
１０４              物理コネクタ抽出処理
１０６              物理コネクタ配置処理
１０８              物理コネクタ間接続処理
１１０              部品表出力処理
１１２              接続情報出力処理
【図１】
0005175623.tif 000002
【図２】
0005175623.tif 000003
【図３】
0005175623.tif 000004
【図４】
0005175623.tif 000005
【図５】
0005175623.tif 000006
【図６】
0005175623.tif 000007
【図８】
0005175623.tif 000008
【図９】
0005175623.tif 000009
【図１０】
0005175623.tif 000010
【図１１】
0005175623.tif 000011
【図１２】
0005175623.tif 000012
【図７】
0005175623.tif 000013
【図１３】
0005175623.tif 000014